(57)【要約】【課題】この種の吸収性物品に求められる良好な着用感や消臭性能などの基本的な性能を有し、かつ、極めて高い消臭性及び抗菌効果を長時間持続する吸収性物品を提供する。【解決手段】着用時に肌面側に配置される液透過性の表面シート、非肌面側に配置される液不透過性の裏面シート、及び前記両シート間に介在された液保持性の吸収体を具備する、縦方向とこれと直交する幅方向とを有する吸収性物品であって、前記表面シートと前記吸収体との間には、抗菌剤を含有する抗菌シートが前記表面シート側に配され、消臭剤を含有する消臭層が前記抗菌シートより前記吸収体側に配されており、前記吸収性物品の幅方向について、前記消臭層の左右端縁が前記吸収体の肌面領域内もしくは側面領域内に留められ、他方、前記抗菌シートは前記吸収体の肌面領域及び非肌面領域に在り、該非肌面領域において前記抗菌シートと前記吸収体とが当接するようにされた吸収性物品。【選択図】図１
2011030900.tif 000002
【特許請求の範囲】
【請求項１】
着用時に肌面側に配置される液透過性の表面シート、非肌面側に配置される液不透過性の裏面シート、及び前記両シート間に介在された液保持性の吸収体を具備する、縦方向とこれと直交する幅方向とを有する吸収性物品であって、
前記表面シートと前記吸収体との間には、抗菌剤を含有する抗菌シートが前記表面シート側に配され、消臭剤を含有する消臭層が前記抗菌シートより前記吸収体側に配されており、
前記吸収性物品の幅方向について、前記消臭層の左右端縁が前記吸収体の肌面領域内もしくは側面領域内に留められ、他方、前記抗菌シートは前記吸収体の肌面領域及び非肌面領域に在り、該非肌面領域において前記抗菌シートと前記吸収体とが当接するようにされた吸収性物品。
【請求項２】
前記吸収性物品の縦方向について、前記消臭層の前後端縁は前記吸収体の前後短縁より内側に位置し、他方、前記抗菌シートは前記消臭層の前後端縁を越えて延在する請求項１に記載の吸収性物品。
【請求項３】
前記消臭層は消臭剤として活性炭を含み、該消臭層とこれと別の層とが積層して消臭シートをなす請求項１又は２に記載の吸収性物品。
【請求項４】
前記抗菌剤は、繰り返し構成単位として架橋性ビニルモノマーとヘテロ芳香環を有するビニルモノマーとを含む共重合体に抗菌性金属イオンが坦持された、ＢＥＴ比表面積が１０ｍ２／ｇ以上の多孔性粒子である請求項１〜３のいずれかに記載の吸収性物品。
【発明の詳細な説明】
【技術分野】
【０００１】
本発明は、使い捨ておむつ、生理用ナプキン、失禁パッド、失禁ライナ等の吸収性物品に関する。
【背景技術】
【０００２】
腹圧性失禁は健常な成人にも起こりうる。このような不意に起こる失禁に対するケア用品の利用者が増え、その着用感や性能が重要視されてきている。かかるケア用品に対しては、健常な成人の日常生活に支障のないよう、パンツ形状ではなく下着の内部に装着できるパッドの形態をとることが望ましい。これにより見た目や着用に係る違和感を抑えることが可能である。一方、失禁に伴う臭い（以降、「尿臭気」と呼ぶ。）は、排泄初期はもとより、吸収体内部に吸収された後においても生じ、周囲には然程気にならない程度であっても、着用者にとっては気付かれているのではないかという心配から大いに気になる問題となる。この問題に対して、本出願人はこれまでに消臭剤含有シートを配した吸収性物品（例えば、特許文献１〜３）や抗菌剤含有シートを配した吸収性物品（例えば、特許文献４）を提案してきた。
さらに、本出願人は特許文献５に、消臭剤を有する活性炭シートと抗菌剤を有する抗菌シートとを組み合わせて適用した失禁パッドを提案している。この失禁パッドでは、上記活性炭シートと抗菌シートとは吸収体を幅方向においてその全周を包被した２重構造とされている。
【先行技術文献】
【特許文献】
【０００３】
【特許文献１】特開２０００−３１８１０８号公報
【特許文献２】特開２００１−３０９９６８号公報
【特許文献３】特開２００１−３４６８２８号公報
【特許文献４】特開２００５−２３２６５４号公報
【特許文献５】特開２００６−１９１９６６号公報
【発明の概要】
【発明が解決しようとする課題】
【０００４】
失禁パッドに代表されるこの種の吸収性物品は半日あるいはそれ以上の比較的長時間に亘り使用されることがある。着用者は比較的若年層にも多く、多忙のため交換の機会を失っていたり、この種の吸収性物品が比較的高価であったり、１回の排泄が少ない着用者が対象であったりするために、そのような長期使用を助長する面もある。他方、着用者は健常者も多く、日常生活において臭気の発生を悟られない高い消臭性が要求される。このため、長時間装着時に発生する熟成臭の抑制は一つの課題となってきている。また、装着後に廃棄容器等に収納し、処分されるまでの間に廃棄容器中で排泄物の腐敗が進んだ際の腐敗臭についても考慮する余地がある。特許文献１〜３開示の吸収性物品は排尿後の比較的初期段階における臭いの抑制には非常に有効であり、特許文献４開示の吸収性物品は抗菌作用によって熟成臭や腐敗臭の抑制に有効であることが考えられる。
ところで、特許文献５に具体的に記載されている吸収性物品は、上述のとおり幅方向にみて活性炭シート及び抗菌シートが吸収性コアの全体を包むよう被覆するもののみである。これに代えて、活性炭シート及び抗菌シートを吸収性コアの表面シート側にのみ配置してもよいとするが、その詳細は何も述べられていない。
上記特許文献５において具体的に示されているものは、初期臭と熟成臭等の抑制に有効であろうと考えられる。しかし、さらに高い性能を発揮し、特に長時間の使用における、極めて高い消臭性を実現する吸収性物品が求められる。
【０００５】
上記の点に鑑み本発明は、この種の吸収性物品に求められる良好な着用感や消臭性能などの基本的な性能を有し、かつ、極めて高い消臭性及び抗菌効果を長時間持続する吸収性物品の提供を課題とする。
【課題を解決するための手段】
【０００６】
本発明は、着用時に肌面側に配置される液透過性の表面シート、非肌面側に配置される液不透過性の裏面シート、及び前記両シート間に介在された液保持性の吸収体を具備する、縦方向とこれと直交する幅方向とを有する吸収性物品であって、前記表面シートと前記吸収体との間には、抗菌剤を含有する抗菌シートが前記表面シート側に配され、消臭剤を含有する消臭層が前記抗菌シートより前記吸収体側に配されており、前記吸収性物品の幅方向について、前記消臭層の左右端縁が前記吸収体の肌面領域内もしくは側面領域内に留められ、他方、前記抗菌シートは前記吸収体の肌面領域及び非肌面領域に在り、該非肌面領域において前記抗菌シートと前記吸収体とが当接するようにされた吸収性物品を提供するものである。
【発明の効果】
【０００７】
本発明の吸収性物品は、失禁パッド等のこの種の物品に求められる着用感等の基本的な性能を満足し、しかも長時間に亘り極めて高い消臭・抗菌効果を持続するという優れた作用効果を奏する。
【図面の簡単な説明】
【０００８】
【図１】本発明における一実施形態としての失禁パッドを肌面方向から模式的に示した一部切欠斜視図である。
【図２】図１に示すＩＩ−ＩＩ線断面の断面図である。
【図３】図１に示すＩＩＩ−ＩＩＩ線断面の断面図である。
【図４】本発明における一実施形態としての失禁パッドを肌面方向から模式的に示した平面図である。
【図５】本発明における吸収体、消臭シート、及び抗菌シートの構造を模式的に示す分解斜視図である。
【図６】実施例及び比較例において製作した失禁パッドの構成を示す概略断面図である。
【発明を実施するための形態】
【０００９】
以下、本発明についてその好ましい実施形態を示し、図面に基づき詳細に説明する。
図１は、本発明における吸収性物品の一実施形態としての失禁パッドを肌面方向から示した一部切欠斜視図である。図２は図１に示すＩＩ−ＩＩ線断面の断面図であり、図３は図１に示すＩＩＩ−ＩＩＩ線断面の断面図である。
【００１０】
本実施形態における失禁パッド１０は、着用時に肌面側に配置される液透過性の表面シート２、非肌面側に配置される液不透過性の裏面シート３及び両シート間に介在された液保持性の吸収体４を有している。失禁パッド１０の幅方向に係る左右両側部には、起立防漏壁Ｔをなすサイドシート５，５が配されている。失禁パッド１０は、着用された時に、着用者の腹部から股下部を介して背側部に向かう方向と沿うように配される縦方向と、これに直交する幅方向とを有している。
【００１１】
本実施形態における表面シート２は、幅方向にみて吸収体４上面の肌面領域Ｓａを被覆しており、かつ、吸収体４の両側面領域Ｓｂを越え吸収体４の非肌面領域Ｓｃへ延び固定されている（図２参照）。一方、裏面シート３は、吸収体４のほぼ非肌面領域Ｓｃのみに配されている。ここで吸収体の肌面領域Ｓａとは、領域境界線Ｓ１とＳ２とで挟まれた吸収体の着用者の肌に向かう面の領域をいう。これに対し、非肌面領域Ｓｃとは吸収体の肌面領域Ｓａとは反対側の領域であり、左右両側領域Ｓｂは吸収体の幅方向の左右の両側における領域である。なお、図２においては、図面中の符号が混み合うことを考慮し図面左側（境界線Ｓ１側）のみにおいて領域の区別を示している。裏面シート３の非肌面側には、失禁パッド１０の幅方向に延びる着衣固定用の粘着剤６が塗布されている。該粘着剤によって、失禁パッド１０が使用者の着衣に接着固定される。本実施形態の失禁パッド１０は、その表面シート側を着用者の肌面に向け、かつ、その縦方向を下腹部から臀部にかけて配し、換言すればその幅方向を左右の脚をつなぐラインの方向に向けて配して着用する。
【００１２】
失禁パッド１０の表面シート２の肌面側には、失禁パッド１０の縦方向（本実施形態においては長手方向）に延びる中心線に向かってその中央が張り出すように湾曲した一対の圧縮溝８，８が形成されている。この圧縮溝８は、表面シート２と吸収体４とをその間の部材を含めエンボス加工等によって一体化して形成される。圧縮溝８は、失禁パッド１０が変形するための可撓軸として作用する。その結果、失禁パッド１０の着用時に、失禁パッド１０は圧縮溝に沿って折曲して着用者の体型や動作に沿った形状に変形しやすくなり、着用感を向上させる。
【００１３】
図２は図１における失禁パッド１０の縦方向消臭層配置領域ＱでのＩＩ―ＩＩ断面を示している。縦方向消臭層配置領域Ｑは、失禁パッド縦方向において吸収体４の前後端縁より内側に位置しており、その詳細については図４に基づき後述する。本実施形態の失禁パッド１０においては表面シート２と吸収体４との間に吸収体全体を被覆した、抗菌剤を含有する抗菌シート７が配置されている。そして、肌面領域Ｓａと側面領域Ｓｂの一部とを被覆し左右両側端縁１ｔを側面領域Ｓｂまでに留めた、消臭剤を含有する消臭層１１を介在する消臭シート１が配設され、表面シート２からみて抗菌シート７及び消臭層１１の順に配置されている。つまり、吸収体４の非肌面領域Ｓｃには消臭層１１が存在せず、他方、抗菌シート７がその領域にあり吸収体４に当接して配設されている。
【００１４】
ここで本実施形態の失禁パッド１０に特有の作用効果について説明する。人体から排泄される前の尿には腎臓等の作用により腐敗臭を促す雑菌等は存在せず、それのみであれば初期臭をなす尿独特の甘い芳香臭を発する。腐敗臭を発生させる雑菌は皮膚に常在しており、その肌上にある雑菌は失禁パッド１０と接触して表面シート２に移行する。排尿があると雑菌は尿とともに失禁パッド１０に拡散し、また、表面シート２から裏面シート３に向かって浸透していく。抗菌シート７、消臭層１１を通過した雑菌混入尿は吸収体４及び消臭層１１に保持され、そこで時間の経過とともに雑菌は増殖していく。
これに対し、本実施形態における上記構成の失禁パッド１０によると、時間が経過する前の初期臭は消臭層１１により抑制されるため、失禁初期には尿臭気はほとんど無い。失禁後の時間が経過した雑菌混入尿は、表面抗菌剤を有さない吸収体４及び消臭層１１を構成する親水性のパルプシート１２，１３に介在され保持される。抗菌剤を有さない上記各部材は一面では雑菌の増殖の温床ともなり雑菌はその内部で活動を活発化しようとする。これに対し本実施形態においては抗菌剤を含有する抗菌シート７が吸収体４の肌面領域Ｓａのみならず側面領域Ｓｂ及び非肌面領域Ｓｃにまで延び、消臭層１１及び吸収体４に接しながら全体に亘り包むように被覆している。そのため肌面領域Ｓａ側の抗菌シート７がこれと当接する面においてその増殖活動を抑制する。その結果、肌面領域Ｓａ側の消臭層内及び非肌面領域Ｓｃ側の吸収体内の雑菌による尿成分の分解を鈍化させ腐敗臭を極めて効果的に抑制する。すなわち、初期臭の発生と、これとメカニズムが異なった腐敗臭の発生との二段階に対して、消臭層１１及び抗菌シート７が最も効果的な配置で機能し尿臭気の外部への放出を阻止する。
【００１５】
上述のように抗菌剤を有さない部材は雑菌の温床となりうる。この点、本実施形態においては消臭層１１が吸収体４の非肌面側には存在しない。このことにより吸収体４の下面に達した雑菌混入尿はこの部分で直接抗菌シートに接することとなる。したがって、吸収体４の下側に達した尿は通常この部分で留められ時間の経過とともに腐敗臭の発生を促すが、本実施形態においては消臭層１１を吸収体４の下側に配置させず雑菌繁殖の温床となり難いので、ここで吸収体４に当接する抗菌シート７により雑菌の増殖活動が効率的に抑止される。それにより熟成臭及び腐敗臭の発生を極めて効果的に抑えることができる。また、吸収体下面では上面と比べて、着用初期段階で、到達する尿量が一般的に少なく、初期臭が問題となることは少ない。更に、液不透過性の裏面シート３の存在によって、初期臭が失禁パッド外部に漏れにくくなっているので、初期臭が問題となることは稀である。加えて、排尿後から腐敗臭が発生する迄の間に、恐らくは尿中成分の分解や濃縮に由来すると考えられる熟成臭も、吸収体の下での尿溜りが抑制され、また、時間経過につれて吸収体下部に溜まる尿の成分の分解が抑制されることによって、その発生が抑制されていると考えられる。したがって、本発明の構成によって、初期臭と熟成臭・腐敗臭の問題を十分に解決しうる。
【００１６】
また、上記の縦方向消臭層配置領域Ｑにおいて消臭層１１が吸収体４の下側に配置されない構造は、部材が少なく柔軟である。そのため、体のねじれ等に対する追従性が向上する。それにより失禁直後の尿を縦方向消臭層配置領域Ｑに吸収させることができ、初期臭を効果的に抑えることができる。さらに本部位での柔軟性は肌にやさしく、また着用して動いた時の部材同士のこすれから発生する音も低減させ、日常生活における快適性をも向上させる。
【００１７】
本実施形態における表面シート２は、肌面側にある上層シート２ａと非肌面側にある下層シート２ｂとからなる（図２、図６参照）。その例としては各種不織布（たとえば、エアスルー不織布やスパンボンド不織布など）の重ね合わせた構成や、不織布とフィルムとのラミネートからなり多数の開孔が形成されている複合シート等が用いられる。本実施形態のように表面シートを多層構造とすることで、抗菌シート７と着用者肌が直接触れることが有効に避けられるので、本来ヒト皮膚表面に存在すべき常在菌に悪影響を及ぼすことを防止することが容易となる。裏面シート３としては、液不透過の熱可塑性樹脂製のフィルムなどを用いることができる。該熱可塑性樹脂製のフィルムは透湿性を有していてもよい。吸収体４は、吸液性の繊維材料、例えばパルプを主体とし、これに高吸収性ポリマーの粒子が混合されて構成されている。
【００１８】
本実施形態における消臭層１１は、詳細な成分は後述するが、活性炭を含む層であり、これと別層との積層構造をなし消臭シート１を構成することが好ましい。消臭機能を有する消臭剤混抄紙である消臭層１１は、図５に示すように、肌面側パルプシート１２及び非肌面側パルプシート１３に挟持されている。消臭層１１とパルプシート１２，１３とは、抄き合わせ又は接着剤等を用いた貼り合わせにより積層される。消臭層１１の大きさはパルプシート１２、１３の大きさよりやや小さくされ、２枚のパルプシート１２、１３の接合部１ｓを左右に形成して活性炭を含む消臭層１１を介在封入するようにする。そのため両シート１２、１３の長さが消臭層１１より左右に長くされ、消臭層１１の左右端縁１１ｔを越え延在するようにされている。一方、前後方向においては消臭層１１とパルプシート１２，１３の長さがそろえられている。消臭シート１の厚みは、用途に応じて適宜調整されればよいが、好ましくは０．１〜２．０ｍｍ、更に好ましくは０．２〜０．５ｍｍである。パルプシート１２、１３の厚みは、用途に応じて適宜調整されればよいが、好ましくは０．１〜２．０ｍｍ、更に好ましくは０．２〜０．５ｍｍである。
本発明においてシート材の厚みは、特に断らない限り、測定法としてはキーエンス社製のレーザー厚み計（商品名：ＬＫ−０８０）にて０．２４５ｋＰａの荷重下で測定した値を厚みとする。
【００１９】
本実施形態における抗菌シート７は、ジビニルベンゼンと２−ビニルピリジンとの共重合体に銀イオンが坦持された多孔質構造体からなり、消臭効果も具備した繊維シートである。本剤により極めて高い抗菌作用が得られる。そのため、この極めて高い抗菌作用と、上述した消臭シートと吸収体の非肌面領域に配さない本実施形態の構造とが相まって、従来の抗菌剤ないし従来構造のみでは両立しがたい初期臭の消臭と腐敗臭の発生抑制を高いレベルで実現することができる。
【００２０】
サイドシート５がなす起立性の防漏壁Ｔは、起立壁部Ｔ２と防漏面部Ｔ１とから構成されている。起立壁部Ｔ２において、サイドシート５の一端５ｉ側が吸収体４と裏面シート３との間に配置されて挟持固定されている。固定手段としてはホットメルト粘着剤等の接着剤による接着が用いられる。起立壁部Ｔ２の他端（自由端部）５ｆ側は折り返し部５ｒを介して防漏面部Ｔ１に連繋している。防漏面部Ｔ１は、失禁パッド１０の幅方向外方にほぼ水平に張り出しており、表面シート２とほぼ平行になった平坦な面を形成している。また、防漏面部Ｔ１は、自然形状において表面シート２よりも肌面側の高い位置に形成されている。これによって、失禁パッド１０の着用時に、防漏面部Ｔ１が着用者の肌に面で密着当接し、横漏れが効果的に防止される。更に、面で密着当接していることによって、着用者の動作によって失禁パッド１０がよれても、着用者の身体との間に空隙が発生し、横漏れが効果的に防止される。自由端部５ｆの内部には、これに沿って糸ゴムからなる弾性部材１５が伸張状態で固定されている。この弾性部材１５によって防漏面部Ｔ１の平坦な形状が良好に形成及び維持される。また、これら弾性部材の収縮によって、サイドシート５にはギャザーが形成されている。
【００２１】
上記構造を有するサイドシート５における立壁部Ｔ２によって、サイドシート５と、吸収体４との間にはポケットＰが形成されている。これにより、排泄された液が表面シート２の表面を伝って流れ出ても、ポケットＰに捕捉して、それ以上の流出を阻止する。ポケットＰに捕捉された雑菌混入尿は起立壁部Ｔ２に沿って導かれ吸収体４の側部や下側に周りこむように移行する。液不透過性である裏面シート３の肌面側に達した雑菌混入尿は吸収体４の下側からも逆戻りして吸収されうるが、本実施形態においてはこの尿が溜りがちな部分には消臭層１１が無い。そのため雑菌混入尿に対し抗菌シート７が当接し、その抗菌作用を発現して雑菌の増殖を抑制する。これにより、やや多めの失禁時においても効果的な消臭性能を発現させることが可能である。
【００２２】
図３は図１における失禁パッド１０の縦方向端部領域Ｒ（消臭層前後端縁から吸収体端縁までの領域）でのＩＩＩ―ＩＩＩ断面を示している。表面シート２の下側では吸収体４を直接抗菌シート７が幅方向において全体的に取り巻くように被覆しており、消臭層１１は存在していない。縦方向端部領域Ｒ（図４参照）は上述したように失禁初期において直接的に尿の排泄を受けない箇所とされており、この部位での初期臭は発生しにくい。しかし、時間の経過とともに吸収体４の毛細管現象により縦方向端部領域に向かって雑菌混入尿は移行される。このとき既に雑菌により尿の腐敗化が進んでいることがあり、そのため、この部分には消臭層を配さずこれを越え抗菌シートを配置するようにしている。これにより、雑菌混入尿を包囲して効果的に腐敗化を抑制することができる。
【００２３】
図４は本発明における一実施形態としての失禁パッド１０を肌面方向から模式的に示した平面図である。失禁パッド１０の外形よりも小さく破線で示されているのが吸収体４及び抗菌シート７である。本実施形態において吸収体４と抗菌シート７との平面視における外形は略同一である。したがって抗菌シート７のみの領域を端部領域Ｒに配し、その縦方向の前後端縁７ｉ、７ｆが前記消臭シート１（消臭層１１）の前後端縁１ｉ、１ｆを越え、抗菌シート７が失禁パッド１０のほぼ全域に配されている。このようにされていることが上述のように、十分な抗菌性能の発現の点から好ましい。
【００２４】
失禁パッドないし吸収体の縦方向消臭層配置領域Ｑと縦方向端部領域Ｒの各縦方向の長さは機能的に配分されればよく、特に限定されないが、消臭層配置領域Ｑ長さと縦方向端部領域Ｒ長さの比率ｃ／（ｃ＋ｅ＋ｅ）は０．３５〜０．９５が好ましく、０．４２〜０．７５がより好ましい。成人用の失禁パッドとして使用する場合は、製品の全長にもよるが、端部領域Ｒの長さｅは１０〜９０ｍｍが好ましく、２０〜７０ｍｍがさらに好ましい。また、中央消臭層配置領域Ｑの長さｃは７０〜１８０ｍｍが好ましく、８０〜１５０ｍｍがさらに好ましい。なお、消臭層配置領域Ｑとは体液の排泄を直接受ける部分及びその近傍である。
【００２５】
本発明の吸収性物品は、上記の実施形態に制限されるものではない。例えば使い捨ておむつ、生理用ナプキン、失禁ライナ等に本発明を適応することができる。また、尿臭に限らずその他、経血臭、オリモノ臭、便臭等に対しても効果的である。
【００２６】
上記実施形態の失禁パッド１０の消臭層１１及び抗菌シート７の材料、製法における条件や、製品の寸法緒言は特に限定されないが、特開２００１−７０３３９号公報、特開２００８−６３７１１号公報に記載の事項を参照することができる。
【００２７】
本実施形態における消臭シート１は非抗菌性の消臭剤を含有した消臭層１１を２枚のパルプシート（親水性）１２、１３の間に介在してなる（図５参照）。消臭層１１は、多孔性消臭剤と繊維原料を主体としてなる。繊維原料としては、ＮＢＫＰ、ＬＢＫＰ等の木材パルプの他、藁、綿等の非木材パルプ等の公知の天然繊維が使用できる。また、シート強度を向上させる目的で、ポリエチレン繊維等の合成繊維を適宜混合してもよい。消臭層１１における繊維原料の含有率は、好ましくは５０〜９９質量％、更に好ましくは７０〜９７質量％である。５０質量％以上とすることにより、シート強度やフレキシブル性が十分なものとなり、９９質量％以下とすることにより消臭効果が十分に奏される。
【００２８】
パルプシート１２、１３としては、紙、不織布等が用いられる。紙とした場合、繊維原料としては、消臭層１１と同様のものが使用できる。また、不織布とした場合、例えば、スパンレース不織布、スパンボンド不織布等の公知の不織布がいずれも使用できる。
【００２９】
前記多孔性消臭剤は、孔直径２０〜２００Åの細孔の容積が多孔性消臭剤１ｇ中に０．２ｍｌ／ｇ以上のものが好ましく、０．６ｍｌ／ｇ以上となるように、該細孔を有しているものがより好ましい。孔直径が小さすぎると粒子径が大きい場合など、吸着速度が遅くなり、消臭機能が発揮できないことがある。細孔の容積が小さすぎると、消臭剤の必要量が多くなり、製品のコストがかさんだり、十分な消臭能力が発揮されない場合がある。
【００３０】
多孔性消臭剤は、その少なくとも一部が疎水性であるのが好ましい。少なくとも一部が疎水性であるとは、少なくとも表面が疎水性であることを好ましくは意味し、これにより、多孔性消臭剤が濡れにくくなり、排泄物で濡れることにより消臭性能が低下することが少なくなる。また、多孔性消臭剤の平均粒子径は、１〜５００μｍとするのが、吸収性物品へ導入する際の固定性、分散性及び風合いの点から好ましい。
【００３１】
このような多孔性消臭剤としては、薬品賦活活性炭、多孔性ポリマー、シリカゲル、ゼオライト、モンモリロライト類等が挙げられるが、中でも、薬品賦活活性炭、フェニル基を有する多孔性ポリマーが好ましい。具体的には、薬品賦活活性炭としては、塩化亜鉛賦活活性炭、リン酸賦活活性炭等が挙げられ、多孔性ポリマーとしては、２，６−ジフェニルーｐ−フェニレンオキサイドベースポリマー、ジビニルベンゼン−スチレン共重合体等が挙げられる。
【００３２】
多孔性消臭剤の含有量は、吸収性物品の飽和吸収量（ｇ）に対し２０〜２００Åの細孔の容積が０．３ｍｌ／１００ｇ以上であるのが好ましく、０．６ｍｌ／１００ｇ以上であるのが更に好ましい。０．３ｍｌ／１００ｇ以上とすることにより、十分な消臭効果を発揮することができる。なお、前記飽和吸収量は、下記のようにして測定される。
飽和吸収量；吸収性物品を生理食塩水に３０分間浸漬する。３０分経過後吸収性物品を引き上げ、３０分間水切りを行い、水切り後の重量（ｇ）から浸漬前の重量（ｇ）を差し引き、これを飽和吸収量とする。消臭層１１は、多孔性消臭剤及び繊維原料を含有したスラリーから、常法通り、通常の湿式抄紙法によりシート状に成形して得ることができる。
【００３３】
前記のようにして得られた消臭層１１とパルプシート１２、１３とは、常法通り、抄紙機上で抄き合わされるか、又は貼り合わせ機を用いて接着剤等により貼り合わされることにより、２枚のパルプシートの間に消臭層を介在させた積層シートとすることができる。その後、スリット工程において所望のシート巾に調整されて、本実施形態の消臭層１１とすることができるが、その際、両側部が消臭層１１を介在していないことから、多孔性消臭剤が脱落せず、製品及び製造ラインが汚れることがなく好ましい。
【００３４】
本実施形態における抗菌シート７は、抗菌剤を備えている。この抗菌剤は、繰り返し構成単位として架橋性ビニルモノマーとヘテロ芳香環を有するビニルモノマーとを含む共重合体に抗菌性金属イオンが坦持されたものであることが好ましく、ビジニルベンゼンと２−ビニルピリジンとの共重合体に銀イオンが坦持された多孔質構造体からなり、消臭効果を具備するものであることがより好ましい。このときモノマー成分中の架橋性ビニルモノマー（ジビニルモノマー）の割合が大きいほど、ＢＥＴ比表面積の大きい抗菌消臭粒子が得られる。従って、全モノマー成分中におけるジビニルモノマーの割合は、５質量％以上が好ましく、２０質量％以上がより好ましく、５０質量％以上が更に好ましい。該割合の上限は、９８質量％以下が好ましく、９０質量％以下がより好ましい。他方、２−ビニルモノマーの割合は、十分に大きいことが好ましく、具体的には、１質量％以上が好ましく、２質量％以上がより好ましく、４質量％以上が更に好ましい。また、抗菌消臭粒子のＢＥＴ比表面積を大きくすることで吸収効果を高める場合には、全モノマー成分中のヘテロ芳香環を有するビニルモノマーの割合は、５０質量％以下にすることが好ましく、３０質量％以下にすることがより好ましい。
【００３５】
上記抗菌消臭粒子においては、上記モノマー以外に、これらと共重合可能な他のモノマーを用いることができる。該他のモノマーとしては、例えば、芳香族系ビニルモノマー、不飽和酸エステル、不飽和酸等が挙げられる。芳香族系ビニルモノマーとしては、スチレン、α−メチルスチレン、ビニルトルエン、エチルビニルベンゼン、ビニルベンジルクロライド等が例示され、不飽和酸エステルとしては、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸シクロヘキシル、（メタ）アクリル酸ベンジル、（メタ）アクリル酸グリシジル等が例示され、不飽和酸としては、（メタ）アクリル酸が例示される。また、アクリロニトリル、メタクリロニトリル等も用いることができる。これらの中では芳香族系ビニルモノマーが好適であり、特にスチレンが好ましい。なお、本明細書において、（メタ）アクリレートとはアクリレート又はメタクリレートを意味し、（メタ）アクリル酸とはアクリル酸又はメタクリル酸を意味する。
【００３６】
本発明における粒子の表面積は特に断らない限りＢＥＴ比表面積で評価することとし、架橋性ビニルモノマーの割合や、重合に用いる有機溶剤の選定により任意に設定することができるが、大きいほど消臭効果が高い。高い抗菌消臭能を有する観点から、抗菌消臭粒子は１０ｍ2／ｇ以上であることが好ましく、５０ｍ2／ｇ以上がより好ましく、１００ｍ2／ｇ以上がさらに好ましく、１５０ｍ2／ｇ以上が特に好ましい。ＢＥＴ比表面積の上限は特に限定されないが、８００ｍ2／ｇ以下、特に５００ｍ2／ｇ以下が好ましい。なおＢＥＴ比表面積は、下記に示すＢＥＴ１点法により求めた値である。
【００３７】
[ＢＥＴ比表面積の求め方]
島津製作所製の商品名：フローソーブ２３００を用いてＢＥＴ１点法により求めた。吸着ガスは、窒素３０体積％、ヘリウム７０体積％のガスを用いた。試料の前処理として、１２０℃で１０分間、吸着ガスの流通を行った。その後、試料が入ったセルを液体窒素で冷却し、吸着完了後室温まで昇温し、脱離した窒素量から試料の表面積を求めた。試料の質量で除して比表面積を求めた。
【００３８】
抗菌消臭粒子の粒径は特に規定されず、これが用いられる用途に応じて適当なものを選定することができる。抗菌消臭粒子は、粒径が０．１〜５ｍｍ程度の粒状でもよく、粒径が０．１〜１００μｍ程度の粉末でもよい。粒径が０．１〜１０μｍの粉末の抗菌消臭粒子を用いると他の材料との配合が容易である。湿式抄造法に使用する場合には、粒径は、１〜１０００μｍであることが好ましく、特に１０〜２００μｍであることが好ましい。本発明における抗菌消臭粒子は、水中油型懸濁重合法又は沈殿重合法により製造することが好ましい。
【００３９】
本実施形態に採用される抗菌消臭粒子においては、上記共重合体に金属イオンが坦持されている。抗菌消臭粒子は、そのポリマー表層に存在するヘテロ芳香環との配位結合により、その細孔表面に金属イオンを担持させることが可能である（本発明においてはかかる金属イオンの固定化を担持という。）。この場合、アンモニア、アミン類、メルカプタン類、脂肪酸等の悪臭ガスは、金属イオンとの配位結合により吸着される。つまり、金属イオンを担持した抗菌消臭粒子は、大きなＢＥＴ比表面積による物理消臭能と、担持した金属イオンによる抗菌能及び／又は化学消臭能とを兼ね備えた格段に高い消臭能を持つ粒子である。金属イオンとしては、例えば、銀イオン、亜鉛イオン、アルミニウムイオン、コバルトイオン、ジルコニウムイオン、セリウムイオン、鉄イオン、銅イオン、ニッケルイオン、白金イオン等が挙げられ、銀イオン、亜鉛イオンが好ましい。
【００４０】
上記抗菌消臭粒子は、上記重合終了後のスラリー、又は乾燥し、かつ、有機溶剤を除去した粒子と、金属塩を溶解させた溶剤とを接触させ、必要であれば３０〜８０℃に加熱しながら混合することにより製造することができる。金属イオンの担持量は、ポリマー粒子に対して、０．０１質量％以上が好ましく、０．１質量％以上がより好ましい。金属イオンの担持量の上限は、特に制限されないが、１０質量％以下が好ましく、５質量％以下がより好ましい。
【００４１】
消臭粒子に金属イオンを担持させるために用いられる金属塩は、水又は有機溶剤に溶解するものであれば特に制限されない。該金属塩としては、例えば、硝酸銀、硝酸アルミニウム、硝酸コバルト、硝酸ジルコニウム、硝酸セリウム、硝酸鉄（ＩＩ）、硝酸鉄（ＩＩＩ）、硝酸銅、硝酸ニッケル、酢酸銀、塩化セリウム、塩化鉄（ＩＩ）、塩化鉄（ＩＩＩ）、塩化亜鉛、塩化銅、過塩素酸銀、過塩素酸アルミニウム、過塩素酸白金、過塩素酸亜鉛、過塩素酸ジルコニウム、硫酸銀、硫酸アルミニウム、硫酸銅、硫酸亜鉛等が挙げられ、これらを単独で用いても、２種類以上用いてもよい。特に好ましくは硝酸銀、酢酸銀、及び塩化亜鉛である。
【００４２】
抗菌消臭粒子が付着した抗菌シート７は、繊維材料及び抗菌消臭粒子を含むスラリーを原料とした湿式抄造法によって製造される。繊維材料への抗菌消臭粒子の付着量を高める観点から、スラリー中に凝集剤を添加してもよい。凝集剤としては、例えばポリアクリルアミドが好適に用いられる。湿式抄造法によって得られたシートにおける消臭粒子の含有量は、好ましくは０．１質量％以上、更に好ましくは０．５質量％以上であり、２質量％以上が一層好ましい。抗菌消臭粒子の含有量の上限に特に制限はないが、経済的な観点から、３０質量％以下であることが好ましい。具体的な用途にもよるが、該シートの坪量は、好ましくは１０〜１００ｇ／ｍ2、更に好ましくは１０〜５０ｇ／ｍ2である。
【実施例】
【００４３】
以下に、本発明について実施例に基づきさらに詳細に説明するが、本発明がこれにより限定して解釈されるものではない。
【００４４】
[実施例１]
図６に模式的に示した断面構成の失禁パッド（試験体１〜５）を製造した。図６中、（ａ）が実施例であり、図６（ｂ）〜（ｄ）が比較例である。なお、各部材において太線で示したものは指定の剤を含むことを意味し、シートの厚さを示すものではない。
各失禁パッド試験体における上層シート２ａと下層シート２ｂには２．４ｄｔｅｘのポリエチレン／ポリプロピレン複合繊維のサクションヒートボンド不織布（坪量２５ｇ／ｍ２）を用いた。
抗菌シート７としては、銀イオンを坦持したジビニルベンゼンと２−ビニルピリジン共重合体を含む坪量１６ｇ／ｍ２の湿式抄造紙を用いた。この抗菌シート７に占める前記抗菌及び消臭剤の量はシート質量に対して０．８５％であった。抗菌シート７の寸法は縦方向長さが１９５ｍｍ、幅方向長さが１７０ｍｍであった。
消臭層１１として、粒径３０μｍの活性炭を含む坪量２５ｇ／ｍ２の湿式抄造紙を用いた。活性炭の配合量は５．０質量％であった。この消臭層（活性炭シート）１１の上下を、坪量１６ｇ／ｍ２のティッシュペーパー１ｂ、１ｃで挟み（図５参照）、消臭層の両側縁からの活性炭の脱落を防止した。消臭シートの寸法は縦方向長さが１１０ｍｍ、幅方向長さが７０ｍｍであった。消臭シート１の厚さは０．３ｍｍであった（測定方法は前記参照）。
吸収体４として、フラッフパルプと高吸収性ポリマーとの積繊体を用いた。積繊体坪量は３００／ｍ２であった。フラッフパルプの坪量は１５０／ｍ２、高吸収性ポリマーの坪量は１５０／ｍ２であった。吸収体４はその縦方向長さが１９５ｍｍ、幅方向長さが７０ｍｍであった。
裏面シート３としては、ポリエチレン製の透湿性シート（坪量３９ｇ／ｍ２）を用いた。裏面シート３の寸法は、縦方向長さ１９５ｍｍ、幅方向長さ７０ｍｍであった。
【００４５】
[実施例２]
抗菌シート７として銀イオンを坦持したジビニルベンゼンと２−ビニルピリジン共重合体に替え、セチルリン酸ベンザルコニウムが含浸された坪量１６ｇ／ｍ２湿式抄造紙を用いた。上記抗菌シート７のセチルリン酸ベンザルコニウムの含有量は０．２質量％であり、それ以外は寸法を含め実施例１と同様にして失禁パッドを得た。（図６（ａ）参照）
【００４６】
[比較例１]
抗菌シート７及び消臭層１１に抗菌剤及び消臭剤を含まない坪量１６ｇ／ｍ２湿式抄造紙を用いた以外は寸法を含め実施例１と同様にして失禁パッドを得た（図６（ｂ）参照）。
【００４７】
[比較例２]
抗菌シート７に抗菌剤を含まない坪量１６ｇ／ｍ２の湿式抄造紙を用いた以外は寸法を含め実施例１と同様にして失禁パッドを得た（図６（ｃ）参照）。
【００４８】
[比較例３]
抗菌シート７として、銀イオンを坦持したジビニルベンゼンと２−ビニルピリジン共重合体に替え、セチルリン酸ベンザルコニウムが含浸された坪量１６ｇ／ｍ２湿式抄造紙を用いた。上記抗菌シート７のセチルリン酸ベンザルコニウムの含有量は０．２重量％であった。消臭層１１の寸法を縦方向長さが１１０ｍｍ、幅方向長さが１４０ｍｍとし、吸収体の肌面側、側面及び非肌面側を覆うように配した。それ以外は寸法含め実施例１と同様にして失禁パッドを得た（図６（ｄ）参照）。
【００４９】
[性能評価]
成人男性５名の尿を各１００ｍｌ摂取し、該尿を混合して尿５００ｍｌを作製する。該尿中に長さ１９５ｍｍ、幅１４０ｍｍの表面シートを人体中の臭気雑菌を採取するため臀部に接触させた５名分の表面シートを上記人尿に入れ雑菌混入尿を作製する。前記各実施例及び各比較例で得られた失禁パッド試験体に上記雑菌混入尿３０ｇを吸収させ、容積１．２リットルの密閉容器（蝶プラ工業株式会社製：商品名  タイトボックスＮｏ．３）中に素早く入れて気密状態とし、試験方法を以下のようにして行った。
Ａ：６０分後を「直後」とし、２４時間後を「１日後」とし、４８時間後を「２日後」とした。
Ｂ：６０分後、２４時間後、４８時間後、それぞれ上記容器の蓋を開け、容器中の臭いについて６名のパネルに官能評価を行った。
Ｃ：６名の評価値（０〜５）の平均値を算出し（小数第一位以下四捨五入）、その値を臭気強度の官能値とした。評価は以下の通りである。
０：  臭いがない。
１：  尿特有の臭いがない。
２：  尿特有の臭いがある。
３：  尿特有の臭いが楽に分かる。
４：  尿特有の臭いが強く分かる。
５：  尿特有の臭いが激しく分かる。
Ｄ：評価中の各密閉容器は４０℃に管理された室内で保存した。
Ｅ：官能値は、その値が小さいほど臭気が弱いことを意味する。以下に評価基準を示す。
・１．５以下：尿特有の臭いがわからないレベル（表記  ◎）
・１．５超２．５以下：気にすると尿特有の臭いがわかるレベル（表記  ○）
・２．５超３．５以下：普通にしていて尿特有の臭いを感じるレベル（表記  △）
・３．５超５．０以下：尿特有の臭いが強いと感じるレベル（表記  ×）
使用した人尿は、実施例及び比較例で全て同じものを用いた。評価結果を下記表１に示す。
【００５０】
[表１]
−−−−−−−−−−−−−−−−−−−−−−−−−−−−−−−−−−−−−−−−  試験体        １          ２            ３            ４            ５
参照図面      ６（ａ）    ６（ａ）      ６（ｂ）      ６（ｃ）      ６（ｄ）
−−−−−−−−−−−−−−−−−−−−−−−−−−−−−−−−−−−−−−−−
直後          ◎          ◎            △            ◎            ◎
１日後        ◎          ◎            △            △            ○
２日後        ○          △            ×            ×            ×
−−−−−−−−−−−−−−−−−−−−−−−−−−−−−−−−−−−−−−−−
備考          実施例      実施例        比較例        比較例        比較例
−−−−−−−−−−−−−−−−−−−−−−−−−−−−−−−−−−−−−−−−
なお、試験体５（図６（ｄ）参照）は特開２００６−１９１９６６号公報に具体例として開示されたものと同様の構造を有するものである。
【００５１】
表１に示す結果から明らかなように、実施例の失禁パッドは、長時間にわたり、高い消臭性能が維持されていることが分かる。これに対して比較例の失禁パッドでは、初期から尿臭気（初期臭）が感じられたり、長時間着用や着用後廃棄までの保存状態を想定した試験下では熟成臭又は腐敗臭に基づくと思われる臭いが感じられている。したがって、本発明の構成によれば、初期臭も、長時間着用後の臭いも抑制することが可能であることが分かる。
【符号の説明】
【００５２】
１  消臭シート
２  表面シート
３  裏面シート
４  吸収体
５  サイドシート
６  粘着剤
７  抗菌シート
８  圧縮溝
１０  失禁パッド
１１  消臭層
１２  肌面側パルプシート
１３  非肌面側パルプシート
Ｔ１  起立壁部
Ｔ２  防漏面部
【図１】
2011030900.tif 000003
【図２】
2011030900.tif 000004
【図３】
2011030900.tif 000005
【図４】
2011030900.tif 000006
【図５】
2011030900.tif 000007
【図６】
2011030900.tif 000008